(57)【特許請求の範囲】
【請求項１】
画像処理装置であって、
ドメイン情報とユーザＩＤを受け付ける受付手段と、
少なくとも前記受付手段が受け付けたユーザＩＤに基づいてユーザのログインを実行する実行手段と、
画像データの格納先として、前記受付手段が受け付けたユーザＩＤを含むフォルダパスを設定する操作キーとを有することを特徴とする画像処理装置。
【請求項２】
前記操作キーが操作されたことに従って、前記受付手段が受け付けたドメイン情報を除いて、前記受付手段が受け付けたユーザＩＤを含むフォルダパスを設定することを特徴とする請求項１に記載の画像処理装置。
【請求項３】
複数のユーザに共通して使用される共有パスを予め設定する共有パス設定手段をさらに有し、
前記操作キーが操作されたことに従って、前記共有パス設定手段によって設定された共有パスと前記受付手段が受け付けたユーザＩＤを含むフォルダパスを設定することを特徴とする請求項１または２に記載の画像処理装置。
【請求項４】
前記受付手段によって受け付けたドメイン情報、及び、ユーザＩＤを認証サーバに送信する送信手段をさらに有することを特徴とする請求項１乃至３のいずれか１項に記載の画像処理装置。
【請求項５】
前記受付手段は、さらに、パスワードを受け付け、
前記送信手段は、さらに、前記パスワードを前記認証サーバに送信することを特徴とする請求項４のいずれか１項に記載の画像処理装置。
【請求項６】
前記画像データを送信する画像データ送信手段をさらに有することを特徴とする請求項１乃至５に記載の画像処理装置。
【請求項７】
原稿上の画像を読み取って画像データを生成する読取手段をさらに有することを特徴とする請求項１乃至６のいずれか１項に記載の画像処理装置。
【請求項８】
画像処理装置の制御方法であって、
ドメイン情報とユーザＩＤを受け付ける受付工程と、
少なくとも前記受付工程で受け付けたユーザＩＤに基づいてユーザのログインを実行する実行工程と、
前記ログインに成功したユーザのフォルダを画像データの格納先として設定する操作キーが操作されたことに従って、前記受付工程で受け付けたユーザＩＤを含むフォルダパスを設定する設定工程とを有することを特徴とする画像処理装置の制御方法。
【請求項９】
請求項８に記載の画像処理装置の制御方法をコンピュータに実行させるためのプログラム。
【発明の詳細な説明】
【技術分野】
【０００１】
本発明は、画像処理装置、画像処理装置の制御方法、及びプログラムに関する。
【背景技術】
【０００２】
従来、ＭＦＰ（ＭｕｌｔｉＦｕｎｃｔｉｏｎ  Ｐｅｒｉｐｈｅｒａｌ）などの画像処理装置から、画像データをファイル送信することが知られている。ファイル送信のための送信プロトコルとして、例えば、ＳＭＢ（Ｓｅｒｖｅｒ  Ｍｅｓｓａｇｅ  Ｂｌｏｃｋ）を用いて画像データを送信することが知られている（特許文献１）。また、他の例として、ＷｅｂＤＡＶ（Ｄｉｓｔｒｉｂｕｔｅｄ  Ａｕｔｈｏｒｉｎｇ  ａｎｄ  Ｖｅｒｓｉｏｎｉｎｇ  ｐｒｏｔｏｃｏｌ  ｆｏｒ  ｔｈｅ  ＷＷＷ）を用いて画像データを送信することが知られている。更に他の例として、ＦＴＰ（Ｆｉｌｅ  Ｔｒａｎｓｆｅｒ  Ｐｒｏｔｏｃｏｌ）を用いて画像データを送信することが知られている。
【０００３】
これらのファイル送信を行う場合、画像データの格納先となるフォルダを管理するファイルサーバのホスト名及びフォルダの位置を示すパス情報と、ファイルサーバにアクセスするための認証情報（ユーザ名及びパスワード）が必要である。
【先行技術文献】
【特許文献】
【０００４】
【特許文献１】特開２０１１−２３４１２６号公報
【発明の概要】
【発明が解決しようとする課題】
【０００５】
画像処理装置から画像データをファイル送信する際に、画像処理装置を操作しているユーザが自分のフォルダを宛先として画像データを送信し、格納したい場合がある。この場合に、ユーザが自分のフォルダのパス情報を入力するのに手間がかかるという問題がある。
【０００６】
この問題に対処するために、画像処理装置にログインする際にユーザが入力したユーザＩＤを用いてユーザ毎のフォルダのパス情報を自動的に設定することが考えられる。これにより、ユーザは、自分のフォルダのパス情報を送信毎に入力したり、アドレス帳に登録されている多数のパス情報から自分のフォルダのパス情報を選択したりする手間から解放される。
【０００７】
また特に、ユーザが入力したユーザＩＤを、複数のユーザに共通のものとして予め設定されている共有パスの後に追加する形でパス情報を生成するようにすれば、ファイルサーバ内の共通の階層に各ユーザのフォルダが作成されることになる。これにより、管理者にとって管理が容易になるというメリットがある。
【０００８】
一方、画像処理装置へのログインにドメインコントローラ（ドメインサーバ）を利用するケースが増えてきている。ドメインコントローラとは、特定ドメインのアカウント情報を一元的に管理するサーバである。ドメインコントローラを利用することにより、装置毎にアカウント情報を管理する必要がなくなる。
【０００９】
ドメインコントローラには、認証に使用するユーザＩＤの先頭にドメイン情報を付加することを要求する種別のものと要求しない種別のものが存在する。例えば、ユーザ固有の情報が「ｕｓｅｒｘ」であり、ドメイン情報が「ｄｏｍａｉｎｘ」である場合、前者のドメインコントローラを利用する際にはユーザＩＤとして「ｄｏｍａｉｎｘ￥ｕｓｅｒｘ」を入力しなければならない。後者のドメインコントローラを利用する場合は、ユーザＩＤとして「ｕｓｅｒｘ」を入力すればよい。なお、「￥」は区切り記号であって、この記号よりも前がドメイン情報であり、この記号よりも後がユーザ固有の情報であることを示している。区切り記号は、「￥」の他に「＠」や「＼」（バックスラッシュ）が知られている。
【００１０】
このように、ユーザＩＤにドメイン情報を含める場合と含めない場合とが混在する環境では、ログイン時のユーザＩＤをフォルダのパス情報の一部として使用する際に不都合が生じる。なぜなら、ユーザＩＤとして「ｄｏｍａｉｎｘ￥ｕｓｅｒｘ」を使用する場合は、ユーザＩＤとして「ｕｓｅｒｘ」を使用する場合と比較して１つ深い階層のフォルダに画像データが格納されてしまうことになるからである。このように２つの種別のドメインコントローラを併用すると、異なる階層にユーザのフォルダが分散されてしまい、管理が煩雑になってしまう。また、ユーザが意図していない階層のフォルダに画像データが格納されてしまう可能性もある。
【００１１】
本発明は、上記の問題点に鑑みなされたものであり、画像データの格納先として、受け付けたドメイン情報とユーザＩＤのうち、ユーザＩＤを含むフォルダパスを設定する操作キーを提供することを目的とする。
【課題を解決するための手段】
【００１２】
上記の目的を達成するために本発明の画像処理装置は、ドメイン情報とユーザＩＤを受け付ける受付手段と、少なくとも前記受付手段が受け付けたユーザＩＤに基づいてユーザのログインを実行する実行手段と、画像データの格納先として、前記受付手段が受け付けたユーザＩＤを含むフォルダパスを設定する操作キーとを有することを特徴とする。
【発明の効果】
【００１３】
本発明によれば、画像データの格納先として、画像処理装置へのログインに成功したユーザのフォルダを、受け付けたドメイン情報とユーザＩＤのうち、ユーザＩＤを含むフォルダパスを設定する操作キーを提供することができる。
【図面の簡単な説明】
【００１４】
【図１】本発明の実施形態における画像処理システムの全体図である。
【図２】本発明の実施形態におけるＭＦＰ１０１の構成を示すブロック図である。
【図３】本発明の実施形態における認証サーバ１０２及び１０３、及びファイルサーバ１０４の構成を示すブロック図である。
【図４】本発明の実施形態におけるＭＦＰ１０１の操作画面を示す図である。
【図５】本発明の実施形態におけるＭＦＰ１０１の操作画面を示す図である。
【図６】本発明の実施形態におけるＭＦＰ１０１の操作画面を示す図である。
【図７】本発明の実施形態におけるＭＦＰ１０１の操作画面を示す図である。
【図８】本発明の実施形態におけるＭＦＰ１０１の操作画面を示す図である。
【図９】本発明の実施形態におけるＭＦＰ１０１のログイン動作を示すフローチャートである。
【図１０】本発明の実施形態におけるＭＦＰ１０１のパス情報設定動作を示すフローチャートである。
【図１１】本発明の実施形態におけるＭＦＰ１０１の操作画面を示す図である。
【図１２】本発明の実施形態におけるＭＦＰ１０１の送信動作を示すフローチャートである。
【発明を実施するための形態】
【００１５】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１６】
図１は、画像処理システムの全体図である。ＬＡＮ（Ｌｏｃａｌ  Ａｒｅａ  Ｎｅｔｗｏｒｋ）１００上には、ＭＦＰ１０１、認証サーバ１０２及び１０３、ファイルサーバ１０４が互いに通信可能に接続されている。ＭＦＰ１０１は、画像処理装置の一例である。本実施形態では画像処理装置の一例としてＭＦＰを説明するが、単機能のスキャナ装置など、画像データを送信する機能を有していればＭＦＰでなくとも良い。認証サーバ１０２及び１０３は、認証装置の一例である。
【００１７】
ファイルサーバ１０４は、ファイル管理装置の一例である。ＭＦＰ１０１は、ファイルサーバ１０４内のフォルダを宛先としてＳＭＢやＦＴＰ、ＷｅｂＤＡＶを用いて画像データのファイル送信を行うことができる。また、ＭＦＰ１０１は、図示しないメールサーバを介して画像データを電子メールで送信することができる。
【００１８】
認証サーバ１０２及び１０３は、それぞれドメインコントローラの機能を有する。認証サーバ１０２は「Ｄｏｍａｉｎ  Ａ」というドメインを管理し、認証サーバ１０３は「Ｄｏｍａｉｎ  Ｂ」というドメインを管理している。ＭＦＰ１０１のユーザは、「Ｄｏｍａｉｎ  Ａ」にログインする場合は認証サーバ１０２によって認証され、「Ｄｏｍａｉｎ  Ｂ」にログインする場合は認証サーバ１０３によって認証される。
【００１９】
なお、画像処理システムは、ＭＦＰ１０１、認証サーバ１０２及び１０３、ファイルサーバ１０４を含むものとするが、ＭＦＰ１０１、認証サーバ１０２及び１０３のみ、或いはＭＦＰ１０１のみを画像処理システムと称することもできる。
【００２０】
図２は、ＭＦＰ１０１の構成を示すブロック図である。ＣＰＵ２１１を含む制御部２１０は、ＭＦＰ１０１全体の動作を制御する。ＣＰＵ２１１は、ＲＯＭ２１２に記憶された制御プログラムを読み出して読取制御や送信制御などの各種制御を行う。ＲＡＭ２１３は、ＣＰＵ２１１の主メモリ、ワークエリア等の一時記憶領域として用いられる。なお、ＭＦＰ１０１は、１つのＣＰＵ２１１が１つのメモリ（ＲＡＭ２１３またはＨＤＤ２１４）を用いて後述するフローチャートに示す各処理を実行するものとするが、他の態様であっても構わない。例えば、複数のＣＰＵや複数のＲＡＭまたはＨＤＤを協働させて後述するフローチャートに示す各処理を実行するようにすることもできる。
【００２１】
ＨＤＤ２１４は、画像データや各種プログラムを記憶する。操作部Ｉ／Ｆ２１５は、操作部２１９と制御部２１０を接続する。操作部２１９には、タッチパネル機能を有する液晶表示部やキーボードなどが備えられ、ユーザの指示を受け付ける受付部として機能する。
【００２２】
プリンタＩ／Ｆ２１６は、プリンタ２２０と制御部２１０を接続する。プリンタ２２０で印刷すべき画像データはプリンタＩ／Ｆ２１６を介して制御部２１０から転送され、プリンタ２２０において記録媒体上に印刷される。
【００２３】
スキャナＩ／Ｆ２１７は、スキャナ２２１と制御部２１０を接続する。スキャナ２２１は、原稿上の画像を読み取って画像データ（画像ファイル）を生成し、スキャナＩ／Ｆ２１７を介して制御部２１０に入力する。ＭＦＰ１０１は、スキャナ２２１で生成された画像データ（画像ファイル）をファイル送信またはメール送信することができる。
【００２４】
ネットワークＩ／Ｆ２１８は、制御部２１０（ＭＦＰ１０１）をＬＡＮ１００に接続する。ネットワークＩ／Ｆ２１８は、ＬＡＮ１００上の外部装置（認証サーバ１０２及び１０３やファイルサーバ１０４など）に画像データや情報を送信したり、ＬＡＮ１００上の外部装置から各種情報を受信したりする。
【００２５】
図３は、認証サーバ１０２の構成を示すブロック図である。ＣＰＵ３１１を含む制御部３１０は、認証サーバ１０２全体の動作を制御する。ＣＰＵ３１１は、ＲＯＭ３１２に記憶された制御プログラムを読み出して各種制御処理を実行する。ＲＡＭ３１３は、ＣＰＵ３１１の主メモリ、ワークエリア等の一時記憶領域として用いられる。なお、認証サーバ１０２は、１つのＣＰＵ３１１が１つのメモリ（ＲＡＭ３１３またはＨＤＤ３１４）を用いて後述するフローチャートに示す各処理を実行するものとするが、他の態様であっても構わない。例えば、複数のＣＰＵや複数のＲＡＭまたはＨＤＤを協働させて後述するフローチャートに示す各処理を実行するようにすることもできる。
【００２６】
ＨＤＤ３１４は、画像データや各種プログラムを記憶する。ネットワークＩ／Ｆ３１５は、制御部３１０（認証サーバ１０２）をＬＡＮ１００に接続する。ネットワークＩ／Ｆ３１５は、ＬＡＮ１００上の他の装置との間で各種情報を送受信する。なお、認証サーバ１０３及びファイルサーバ１０４の構成は、認証サーバ１０２と同様（図３）であるため、説明は省略する。
【００２７】
図４（ａ）（ｂ）は、操作部２１９に表示される操作画面の一例を示す図である。ユーザは、ＭＦＰ１０１の使用を開始する前に、領域４０１にユーザＩＤを、領域４０２にパスワードを、それぞれ入力する必要がある。また、ユーザは、領域４０３にドロップダウン形式で示される選択肢から、ログイン先のドメインを選択する必要がある。ここでは、認証サーバ１０２が管理する「Ｄｏｍａｉｎ  Ａ」と認証サーバ１０３が管理する「Ｄｏｍａｉｎ  Ｂ」が選択肢として示される。
【００２８】
図４（ａ）に示す状態でユーザがログインの実行を指示すると、ＭＦＰ１０１は認証サーバ１０２に対して「ｕｓｅｒａ」及び「ｘｙｚ」を送信し、ユーザ認証を依頼する（ユーザによるＭＦＰ１０１の使用可否を問い合わせる）。同様に、図４（ｂ）に示す状態でユーザがログインの実行を指示すると、ＭＦＰ１０１は認証サーバ１０３に対して「ｄｏｍａｉｎｂ￥ｕｓｅｒａ」及び「ｘｙｚ」を送信し、ユーザ認証を依頼する（ユーザによるＭＦＰ１０１の使用可否を問い合わせる）。
【００２９】
図４（ａ）の領域４０１と図４（ｂ）の領域４０４を比較すると、領域４０４の方には「ｄｏｍａｉｎｂ￥」という文字列が付加されていることが分かる。このうち「ｄｏｍａｉｎｂ」は、認証サーバ１０３が管理する「Ｄｏｍａｉｎ  Ｂ」に対応するドメイン情報である。また、「￥」は区切り記号であって、この記号よりも前がドメイン情報であり、この記号よりも後がユーザ固有の情報であることを示している。区切り記号は、「￥」の他に「＠」や「＼」（バックスラッシュ）が知られている。
【００３０】
領域４０４の方にドメイン情報が付加されているのは、認証サーバ１０３がユーザＩＤの先頭にドメイン情報を付加することを求める種別のドメインコントローラであるためである。一方、認証サーバ１０２は、ユーザＩＤの先頭にドメイン情報を付加することを求めない種別のドメインコントローラであるため、領域４０１の方にはドメイン情報が付加されていない。このように、ユーザは、ログイン先として選択したドメインに応じて、ユーザＩＤにドメイン情報を付加するか否かを判断する必要がある。
【００３１】
図５は、操作部２１９に表示される操作画面の一例を示す図である。ユーザは、図５の画面において、操作キー５０１または５０２を操作することにより、機能を選択することができる。図５は、操作キー５０２が操作された状態を示している。なお、図５では、機能として「スキャンして送信」及び「コピー」を例示しているが、ＭＦＰ１０１がこれら以外の機能を備えていてもよい。
【００３２】
操作キー５０１を操作したユーザは、操作キー５２１乃至５２３のいずれかを操作することにより、送信する画像データの宛先を設定することができる。操作キー５２１を操作すると、ＨＤＤ２１４に保持されているアドレス帳の内容が表示され、ユーザは、アドレス帳に登録された内容を参照し、画像データの宛先として設定することができる。
【００３３】
操作キー５２２を操作すると、ユーザからの新規入力を受け付ける画面が表示される。ユーザは、表示された画面を介して宛先情報を入力し、画像データの宛先として設定することができる。
【００３４】
操作キー５２３は、ユーザが自分自身のフォルダを画像データの宛先として設定したい場合に操作する操作キーである。ユーザが操作キー５２３を操作すると、ユーザ自身のフォルダのパス情報が画像データの宛先として自動的に設定される（詳細は後述する）。
【００３５】
領域５１０は、操作キー５２１乃至５２３を用いて設定された宛先が示される。領域５１０に表示された宛先の１つを選択した状態で操作キー５１１を操作すると、選択された宛先の詳細情報が表示される（図８）。
【００３６】
操作キー５３１は、カラー／モノクロなどの読取設定を行う場合に使用する操作キーである。操作キー５３２は、読取解像度を設定する場合に使用する操作キーである。操作キー５３３は、送信する画像データのファイル形式を設定する場合に使用する操作キーである。操作キー５３４は、片面／両面読取の設定を行う場合に使用する操作キーである。操作キー５３５は、読取サイズを設定する場合に使用する操作キーである。
【００３７】
図６は、操作部２１９に表示される操作画面の一例を示す図である。図６の画面は、管理者のみが操作可能であり、一般のユーザがＭＦＰ１０１を操作する場合には表示されない。領域６０１には、複数のユーザに共通して使用される共有パスが入力される。ここで設定された共有パスは、ＲＡＭ２１３に記憶され、図４（ａ）の領域４０１に入力されたユーザＩＤ、または図４（ｂ）の領域４０４に入力されたユーザＩＤの一部と組み合わされ、画像データの格納先となるフォルダのパス情報として使用される。
【００３８】
共有パスが図６に示すように設定された状態で、図５の操作キー５２３が操作されると、図５の画面は図７に示す状態へと遷移する。図７の画面では、領域５１０に「￥￥１２３．４５．６．７」という宛先が１件表示されている。ここでは、図６の領域６０１で設定された共有パスのうち、ファイルサーバ１０４のホスト名に相当する部分が表示される。領域５１０に表示された「￥￥１２３．４５．６．７」を選択した状態で操作キー５１１を操作すると、図８（ａ）または（ｂ）の画面が表示される。
【００３９】
図８（ａ）（ｂ）は、操作部２１９に表示される操作画面の一例を示す図である。図８（ａ）は、図４（ａ）に示す状態でログインしたユーザが操作キー５２３を操作した場合の例を示す。領域８０１には、共有パスの「￥￥１２３．４５．６．７￥共有」と図４（ａ）の領域４０１に入力されたユーザＩＤの「ｕｓｅｒａ」が組み合わされた、「￥￥１２３．４５．６．７￥共有￥ｕｓｅｒａ」というパス情報が設定されている。
【００４０】
領域８０２には、図４（ａ）の領域４０１に入力されたユーザＩＤの「ｕｓｅｒａ」がファイルサーバへの接続に使用される認証情報のユーザ名として設定されている。また、領域８０３には、図４（ａ）の領域４０２に入力されたパスワードの「ｘｙｚ」がファイルサーバへの接続に使用される認証情報のパスワードとして設定されている。
【００４１】
図８（ｂ）は図４（ｂ）に示す状態でログインしたユーザが操作キー５２３を操作した場合の例を示す。領域８０４には、共有パスの「￥￥１２３．４５．６．７￥共有」と図４（ｂ）の領域４０４に入力されたユーザＩＤの「ｄｏｍａｉｎｂ￥ｕｓｅｒａ」の一部が組み合わされた、「￥￥１２３．４５．６．７￥共有￥ｕｓｅｒａ」というパス情報が設定されている。パス情報を「￥￥１２３．４５．６．７￥共有￥ｄｏｍａｉｎｂ￥ｕｓｅｒａ」とせずに、「ｄｏｍｉｎｂ￥」を除いたものとすることにより、図４（ａ）と図４（ｂ）の両方の場合において、同じ「ｕｓｅｒａ」のフォルダに画像データを格納することができる。これにより、管理者によるユーザのフォルダの管理が容易になり、ユーザが意図しないフォルダに画像データが格納されてしまうことも防止できる。
【００４２】
領域８０５には、図４（ｂ）の領域４０４に入力されたユーザＩＤの「ｄｏｍａｉｎｂ￥ｕｓｅｒａ」がファイルサーバへの接続に使用される認証情報のユーザ名として設定されている。ここでは「ｄｏｍｉｎｂ￥」が削除され、そのまま含まれる。また、領域８０６には、図４（ｂ）の領域４０５に入力されたパスワードの「ｘｙｚ」がファイルサーバへの接続に使用される認証情報のパスワードとして設定されている。
【００４３】
図９は、ＭＦＰ１０１におけるログイン動作（ユーザがＭＦＰ１０１の使用を開始するときの一連の動作）を説明するフローチャートである。図９のフローチャートに示す各動作（ステップ）は、ＭＦＰ１０１のＣＰＵ２１１がＨＤＤ２１４に記憶された制御プログラムを実行することにより実現される。
【００４４】
ステップＳ９０１では、操作部２１９に表示した画面（図４）を介して、ユーザからのユーザＩＤ及びパスワードの入力を受け付ける。
【００４５】
ステップＳ９０２では、ステップＳ９０１で受け付けたユーザＩＤ及びパスワードを認証サーバ１０２または１０３に送信し、ユーザ認証を依頼する（ユーザによるＭＦＰ１０１の使用可否を問い合わせる）。送信先の認証サーバは、図４の領域４０３を用いたログイン先の選択に応じて切り替えられる。
【００４６】
ステップＳ９０３では、認証サーバから通知される内容が、認証ＯＫであるか認証ＮＧであるかを判定する。この結果、認証ＯＫである場合にはステップＳ９０４に進み、ユーザによるＭＦＰ１０１の各機能の使用を許可するとともに、ステップＳ９０１で受け付けたユーザＩＤ及びパスワードをＲＡＭ２１３に記憶する。一方、認証ＮＧである場合にはそのまま処理を終了する（或いは、ステップＳ９０１に戻り、ユーザＩＤ及びパスワードを入力するための画面を再表示する）。
【００４７】
図１０は、ＭＦＰ１０１におけるパス情報設定動作を説明するフローチャートである。図１０のフローチャートは、操作キー５２３が操作された場合に開始される。図１０のフローチャートに示す各動作（ステップ）は、ＭＦＰ１０１のＣＰＵ２１１がＨＤＤ２１４に記憶された制御プログラムを実行することにより実現される。
【００４８】
ステップＳ１００１では、図６の領域６０１に入力され、ＨＤＤ２１４に記憶されている共有パスを取得する。ステップＳ１００２では、ステップＳ９０１で受け付けられ、ステップＳ９０４でＲＡＭ２１３に記憶されたユーザＩＤを取得する。
【００４９】
ステップＳ１００３では、ステップＳ１００２で取得したユーザＩＤにドメイン情報が含まれるか否かを判定する。具体的には、ステップＳ１００２で取得したユーザＩＤに区切り記号「￥」が含まれていればドメイン情報が含まれると判定し、ステップＳ１００４に進む。一方、ステップＳ１００２で取得したユーザＩＤに区切り記号「￥」が含まれていなければドメイン情報が含まれていないと判定し、ステップＳ１００７に進む。
【００５０】
ステップＳ１００４では、ステップＳ１００２で取得したユーザＩＤからドメイン情報を削除するか否かを判定する。ユーザＩＤからドメイン情報を削除するか否かは、図１１の画面を介して管理者によって予め設定されている。
【００５１】
図１１は、操作部２１９に表示される操作画面の一例を示す図である。図１１の画面は、管理者のみが操作可能であり、一般のユーザがＭＦＰ１０１を操作する場合には表示されない。図１１の画面において管理者が操作キー１１０１を操作すれば、ユーザＩＤからドメイン情報を削除することが選択される。一方、管理者が操作キー１１０２を操作すれば、ユーザＩＤからドメイン情報を削除しないことが選択される。この場合、たとえユーザＩＤにドメイン情報が含まれていたとしても、そのドメイン情報が削除されることなく、ユーザＩＤの全てがパス情報として設定される。
【００５２】
ステップＳ１００４では、ユーザＩＤからドメイン情報を削除することが選択されていれば、ドメイン情報を削除すると判定し、ステップＳ１００５に進む。一方、ユーザＩＤからドメイン情報を削除しないことが選択されていれば、ドメイン情報を削除しないと判定し、ステップＳ１００７に進む。
【００５３】
ステップＳ１００５では、ステップＳ１００２で取得したユーザＩＤからドメイン情報を削除する。続くステップＳ１００６では、ユーザＩＤのドメイン情報を除く部分を共有パス部分の後に追加したものをフォルダのパス情報として設定する。一方、ステップＳ１００７では、ユーザＩＤの全てを共有パス部分の後に追加したものをフォルダのパス情報として設定する。なお、ステップＳ１００４の判定を行わず、ユーザＩＤにドメイン情報が含まれる場合は常にドメイン情報を削除するようにしても構わない。
【００５４】
図１２は、ＭＦＰ１０１における送信動作を説明するフローチャートである。図１２のフローチャートは、画像データの宛先が設定された後、図示しないスタートキーが操作された場合に開始される。図１２のフローチャートに示す各動作（ステップ）は、ＭＦＰ１０１のＣＰＵ２１１がＨＤＤ２１４に記憶された制御プログラムを実行することにより実現される。
【００５５】
ステップＳ１２０１では、スキャナ２２１が原稿上の画像を読み取って画像データを生成する。ステップＳ１２０２では、図１０のステップＳ１００６またはＳ１００７で設定されたパス情報に従ってファイルサーバ１０４に接続する。このとき、図８の画面に示されるユーザ名及びパスワードがファイルサーバ１０４へのログインに使用される。
【００５６】
ステップＳ１２０３では、ファイルサーバ１０４との接続が成功したか否かを判定する。ファイルサーバ１０４との接続が成功するとステップＳ１２０３に進み、成功しなければそのまま処理を終了する。
【００５７】
ステップＳ１２０４では、図１０のステップＳ１００６またはＳ１００７で設定されたパス情報が示すフォルダがファイルサーバ１０４に存在するか否かを判定する。該当するフォルダが存在すればステップＳ１２０６に進み、存在しなければステップＳ１２０５に進む。
【００５８】
ステップＳ１２０５では、図１０のステップＳ１００６またはＳ１００７で設定されたパス情報が示すフォルダをファイルサーバ１０４内に新規作成する。具体的には、ファイルサーバ１０４に対してフォルダの新規作成を要求するコマンドを送信する。なお、図１０のステップＳ１００６またはＳ１００７で設定されたパス情報が示すフォルダがファイルサーバ１０４に存在しない場合に、そのままエラー終了するようにしても良い。
【００５９】
ステップＳ１２０６では、ファイルサーバ１０４に画像データを送信し、図１０のステップＳ１００６またはＳ１００７で設定されたパス情報が示すフォルダに格納する。
【００６０】
以上の処理により、ユーザＩＤにドメイン情報が含まれる場合であっても、ユーザＩＤにドメイン情報が含まれない場合と同じフォルダを、画像データの宛先として簡単に設定することができる。なお、上述した説明では「ｕｓｅｒａ」という同一のユーザが、ドメイン情報を付加したユーザＩＤでログインする場合とドメイン情報を付加しないユーザＩＤでログインする場合とを対比させて説明した。この場合、ユーザＩＤからドメイン情報を削除することにより、双方のケースで同一のフォルダに画像データが格納されることになる。一方、本発明は、ドメイン情報を付加したユーザＩＤでログインするユーザと、ドメイン情報を付加しないユーザＩＤでログインするユーザが、そもそも異なる場合であっても効果を奏する。なぜなら、各ユーザのフォルダが同一の階層に並列的に作成されることになるため、管理者によるフォルダの管理がし易くなるからである。
【００６１】
また、上述した説明では、ユーザがＭＦＰ１０１の使用を開始するときに図９のフローチャートに従ってユーザを認証する例を説明したが、他の態様であっても構わない。例えば、ユーザがある特定の機能を選択した後に、その機能を使用するためのユーザ認証を図９のフローチャートに従って行うようにしてもよい。
【００６２】
なお、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６３】
この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【００６４】
１０１  ＭＦＰ
２１０  制御部
２１１  ＣＰＵ
２１２  ＲＯＭ
２１３  ＲＡＭ
２１４  ＨＤＤ
【図１】
0006300870.tif 000002
【図２】
0006300870.tif 000003
【図３】
0006300870.tif 000004
【図４】
0006300870.tif 000005
【図５】
0006300870.tif 000006
【図６】
0006300870.tif 000007
【図７】
0006300870.tif 000008
【図８】
0006300870.tif 000009
【図９】
0006300870.tif 000010
【図１０】
0006300870.tif 000011
【図１１】
0006300870.tif 000012
【図１２】
0006300870.tif 000013